(57)【要約】  無線ローカルエリアネットワーク（１０）のアクセスポイント（１１）がサービス期間（２１）の間にビーコンメッセージを送信する。このビーコンメッセージは、ある好適な実施形態では、アクセスポイントがすぐにデータを送信しようとしている加入者ユニットを識別する。ビーコンメッセージで識別されておらずアクセスポイントに送信する自身のデータのない加入者ユニットが、次のビーコンメッセージまで省電力動作モードを実施する。送信する音声情報などのデータのある加入者ユニット群が、ビーコンメッセージの内容を利用して、アクセスポイントがその加入者ユニットへの送信をそれまでには終える可能性のある時刻を少なくとも推定する。次にこの予定時刻を用いて、任意の加入者ユニットがそのデータをアクセスポイントへと送信する機会を争奪する時刻のスケジュールを簡易化する。ある好適な実施形態では、このスケジュールした送信時刻が、場合によって、サービス期間に続くコンテンションウインドウの間や、アクセスポイントの送信に続きサービス期間の終わりと共に終わる動的コンテンションウインドウの間に発生する。次に加入者ユニット群は、時間間隔を空けてから、各々の選んだ省電力方式を実行する。
2007503168.tif 000002
【特許請求の範囲】
【請求項１】
無線加入者ユニットにおいて、
スリープ動作モードからアクティブ動作モードへと切り換える工程と、
無線ローカルエリアネットワークの通信リソースのビーコンメッセージをアクセスポイントから受信する工程と、
送信する音声情報がある場合に、
所定のサービス期間中に前記アクセスポイントからの送信が終わる可能性のある第１の時刻と、
前記第１の時刻に続く、前記音声情報を送信する機会を争奪する第２の時刻と。を決定する工程と,
からなる方法。
【請求項２】
ビーコンメッセージを受信する工程が、予めスケジュールされた時刻に前記ビーコンメッセージを受信する工程を含む請求項１に記載の方法。
【請求項３】
ビーコンメッセージを受信する工程が、前記アクセスポイントが次に目標の情報を送信しようとしている加入者ユニット群を識別した前記ビーコンメッセージの情報を回収する工程を含む請求項１に記載の方法。
【請求項４】
所定のサービス期間中に前記アクセスポイントからの送信が終わる可能性のある第１の時刻を決定する工程が、前記第１の時刻を、少なくとも部分的には、前記アクセスポイントが次に目標の情報を送信しようとしている加入者ユニット群を識別した情報の関数として推定する工程を含む、請求項３に記載の方法。
【請求項５】
前記音声情報を送信する機会を争奪する第２の時刻を決定する工程が、前記ビーコンメッセージをサポートする所定のサービス期間内の第２の時刻を場合によっては選択する工程を含む請求項４に記載の方法。
【請求項６】
請求項１に記載の方法であって、所定のサービス期間中に前記アクセスポイントからの送信が終わる可能性のある第１の時刻を決定する工程が、
前記アクセスポイントから情報を受信する工程と、
前記アクセスポイントからの前記情報を用いて前記第１の時刻を決定する工程と,
を含む方法。
【請求項７】
前記アクセスポイントから情報を受信する工程が、前記第１の時刻についての少なくとも推定を含む情報を前記アクセスポイントから受信する工程を含む、請求項６に記載の方法。
【請求項８】
前記アクセスポイントから情報を受信する工程が、前記第１の時刻を少なくとも推定する為に前記加入者ユニットが利用できる情報を前記アクセスポイントから受信する工程を含む請求項６に記載の方法。
【請求項９】
音声伝送能力のある無線ローカルエリアネットワークの加入者ユニットであって、
無線ローカルエリアネットワークの通信リソースに適合している無線送受信機と、
前記無線送受信機に操作可能に結合され、アクティブ動作モードとスリープ動作モードとを有する制御装置と、
前記制御装置に操作可能に結合された局所音声変換装置及び音声処理装置と、
前記制御装置に操作可能に結合されたメモリと,
を備え、前記メモリは、少なくとも時折は前記メモリに、
前記無線ローカルエリアネットワークのアクセスポイントからの送信が所定のサービス期間中に終わるときについての予定時刻と、
前記予定時刻に続く選択送信時刻とを保存し、前記選択送信時刻には、前記制御装置が前記無線送受信機に前記アクセスポイントへと送信させ、これにより、前記加入者ユニットが、送信する音声データを持っている場合には前記無線ローカルエリアネットワークの通信リソースを争奪し、前記選択送信時刻が場合によって、所定のサービス期間中にある又は前記サービス期間に続く、無線ローカルエリアネットワークの加入者ユニット。
【請求項１０】
前記無線ローカルエリアネットワークの通信リソースが、８０２．１１に適合している請求項９に記載の無線ローカルエリアネットワークの加入者ユニット。
【請求項１１】
前記制御装置が、前記予定時刻を、少なくとも部分的には、前記アクセスポイントからのビーコンメッセージの内容の関数として推定する推定手段を備えた、請求項９に記載の無線ローカルエリアネットワークの加入者ユニット。
【請求項１２】
前記制御装置が、前記選択送信時刻を、少なくとも部分的には、前記予定時刻の関数としてスケジュールするスケジュール手段を更に備えた、請求項１１に記載の無線ローカルエリアネットワークの加入者ユニット。
【発明の詳細な説明】
【技術分野】
【０００１】
本発明は一般に無線データ伝送に関し、特に音声データの送信に関する。
【背景技術】
【０００２】
様々な無線伝送の実施形態が当該分野で既知である。このようなシステムのなかには、音声データ（多くの場合、デジタル化された音声を表すデータが含まれる）の送信をサポートするシステムや、ベアラデータ（例えば、表示される図形情報や情報ファイルに対応する英数字の情報が含まれる）の送信をサポートするシステムや、両方のデータの送信をサポートするシステムがある。後者の例は８０２．１１準拠の無線ローカルエリアネットワーク（ＷＬＡＮ）であり、これにより、パケット化されたデジタル音声データの送信がサポートされる（それによって、多くの場合インターネットプロトコル（ＩＰ）上での音声通信すなわちＶｏＩＰと呼ばれているものが実施される）。
【０００３】
幾つかのＶｏＩＰ簡易化ＷＬＡＮシステムでは、ＷＬＡＮのアクセスポイントが、アクセスポイントの領域内で定期的に動作している現存の加入者ユニットのひとつひとつをポーリングする。任意の加入者ユニットがこのようなポーリング調査に応えたとき、予め受信済みのバッファされているデータ（音声フレームなど）をアクセスポイントがその加入者ユニットを対象としているときは、アクセスポイントがこれを送信する。これによって更に、あるとしてもアクセスポイントへの、加入者ユニットの音声データを含むデータを送信する機会が加入者ユニットにもたらされる。このようなプロトコルが相対的に効果的に実施されることにより、時間依存でしかもタイムクリティカルなデータ（音声データなど）が十分な速度と適時性で交換されることが確実になり、これで一般に許容できるレベルのサービス品質が保証される。しかし、残念なことに、このようなポーリングベースのプロトコルには、加入者ユニット群の方が相当に注意しなければならない傾向もある。即ち、加入者ユニット群は、確実にポーリングを逃さないように、受信に関し公正に一定の状態のままでいなくてはならない。この結果、このようなシステムの加入者ユニットは、この活動状態を保つ為に相当な量の電力を消費する。このような消費電力は携帯機器の要望には添わず、特に、比較的制限される携帯電源しかない携帯機器の要望には添わない。
【０００４】
このような要望に対する部分的な回答として、少なくとも、新しいポーリングサイクルの始動を規則正しく周期的に且つ同期するように発生させることが提案されている。このように構成されていると、加入者ユニット群が、新しいポーリングサイクルの始まりを先験的に知ることができる。ポーリングされた（そして注意を必要とする情報を送信した及び／又は受信した）後で、各加入者ユニットが今度はスリープ動作モードを始動する。このようなスリープモードは当該分野で周知であり、様々な電力消費タスク（アクセスポイントからの送信の受信や処理など）を一時的に省く又は少なくとも低減させることにより、装置の消費電力を効果的に低減させることができる。次に、スリープモードの加入者ユニット群が、次のポーリングサイクルの始動に先立ってアクティブ受信動作モードに切り換わる。このようなアプローチにより、少なくとも幾つかの加入者ユニット群に幾らかの節電の利益がもたらされる。しかし、この利益はかなり裏付けに乏しく、消費電力の節減の総量が十分なものとは考えられない場合もある。
【０００５】
他のＶｏＩＰ簡易化ＷＬＡＮシステムでは、アクセスポイントと加入者ユニット群との全てが互いに、使用可能な通信リソース（単一又は複数）の使用権を取り合う。このようなコンテンションベースのシステムは、使用可能な通信リソースを相当にもたらすよう影響を与えるやり方での適時の情報の交換を簡易化するとかなり効果的なものになる。しかし残念なことに、このようなコンテンションベースのプロトコルには、更に消費電力及び可用性を必要とする傾向がある。これが少なくとも部分的に起きるのは、加入者ユニットが一般に、アクセスポイントからの送信を逃さないよう、いつもそのままでいなくてはならないからである。従って、このようなコンテンションベースのプロトコルは、限りのある電力容量しかない携帯用の加入者ユニットで使用するのにはあまり向いていない。
【発明の開示】
【発明が解決しようとする課題】
【０００６】
これらの基本的なアプローチの他の変形が以下に呈示される。しかし、概して、これらの実施形態によって加入者ユニットが、少なくとも使用の多くの局面においては、自身の電力量の節約に寄与するスリープ動作モードを実行できることが分かるであろう。同時に、これらの実施形態は、ベアラデータサービスと音声情報サービスの両方のサービス品質を許容できるレベルにするには十分である。
【課題を解決するための手段】
【０００７】
上記の要望は、以下の詳細な記述に記載されたデータ伝送を簡易化する方法及び装置を提供することにより、特に当該図面を併用して検討した場合に、少なくとも一部分は満たされる。
【０００８】
全般に、これらの様々な実施形態に従い、加入者ユニットがスリープ動作モードからアクティブ動作モードへと切り換わり、アクセスポイントから送信されたビーコンメッセージを所定の無線ローカルエリアネットワークの通信リソースで受信できるようになる。送信するデータ（中でも特に音声情報）が加入者ユニットにある場合は、この加入者ユニットが、所定のサービス期間中にアクセスポイントからの送信が終わる可能性のある第１の時刻と、この第１の時刻に続く、加入者ユニットの音声情報を送信する機会を争奪する第２の時刻とを決定する。
【０００９】
ある好適な実施形態では、加入者ユニットが第１の時刻を、少なくとも部分的に、ビーコンメッセージの内容の関数として決定する。例えば、ある一つのアプローチによれば、アクセスポイントの送信を終えるとアクセスポイントが決定したと予想される時刻をアクセスポイント自身が送信できる。別のアプローチによれば、アクセスポイントが、アクセスポイントが次にデータを送信しようとしている加入者ユニット群のリストなどの情報を提供でき、このリストは、このような送信が終わる可能性のある時刻を各加入者ユニット自身が推定する為に利用できる。
【００１０】
このように構成されていると、対応のサービス期間中にアクセスポイントが次に情報を送信しようとしている加入者ユニット群を識別するビーコンメッセージをアクセスポイントが送信できる。次に、このリストで識別されておらずアクセスポイントに送信するデータのない加入者ユニット群がスリープ動作モードに切換わり、次のスケジュールされたビーコンメッセージまでスリープ動作モードの状態である。リストで識別されている加入者ユニット群は接続状態のままであり、対応のサービス期間中に各自への送信を受信する。各自への送信を受信すると同時に、自身のデータを送信してもよく（このような活動が可能なある実施形態では各自への送信の受信に直ちに続いて送信してもよいし、下記のようにコンテンション機構に従って後半の期間に送信してもよい）、スリープ動作モードに切換わり、次のビーコンメッセージまでスリープ動作モードの状態である。リストで識別されていないが送信するデータのある加入者ユニット群がスリープ動作モードに入り、上述のように決定された第２の時刻までスリープ動作モードの状態である。第２の時刻では、このような加入者ユニットがアクティブ動作モードに切換わり、所望のコンテンション機構を利用してアクセスポイントへの加入者ユニットの送信を行う。
【発明を実施するための最良の形態】
【００１１】
当業者には、当該の図の要素は簡単明瞭になるよう図示されており、必ずしも一律の縮尺に従っていないことが分かるであろう。例えば、これらの図の幾つかの要素の寸法は、様々な本発明の実施形態を分かりやすくする為に他の要素に比べ誇張されている。更に、商業的に実現可能な実施形態において有用な又は必要な一般的でしかも周知の要素は、これらの様々な本発明の実施形態を見やすくする為に描写されていない。
【００１２】
ここで図１を参照すると、ある好適な実施形態では、無線ローカルエリアネットワーク１０には、ネットワーク１２に結合したアクセスポイント１１があり、このネットワーク１２は、例えば、ビジネス又は他の企業の閉じたローカルネットワーク、或いは、一般からのアクセスが可能なように様々な公共の場に供給されているような開いたローカルネットワークなどである。概して、このようなネットワーク１２自身の中に、インターネット又は他のエクストラネット（図示せず）などの、更に大きいネットワークへのリンクが一つ以上ある。アクセスポイント１１には送受信能力があり、対応の無線通信リソース１３（一つ以上の無線周波数キャリアなど）を介して無線通信をサポートする。本記述の為に、このリソース１３には８０２．１１に適合したリソースが含まれる。しかし、これらの実施形態がこのようなリソースによる使用のみに制限されていないことが分かるであろう。（上記の要素は全て当該分野では一般に良く知られているので、ここでは、簡潔にする為に、且つ焦点をぼやけさせない為に、これ以上詳しくは述べない。）
図２を参照すると、好適な実施形態に従い、アクセスポイント１１が一般的な通信プロトコル２０に従って、加入者ユニット群に、所定のサービス期間２１の少なくとも一部の間に時折（且つ、好ましくは予測可能なやり方で）送信する。例えば、このような送信が１００ミリ秒毎に規則的に発生する。このサービス期間２１にコンテンションウインドウ２４が続く。このコンテンションウインドウ２４によりアクセスポイント１１への加入者ユニット自身の送信がなされている間、加入者ユニットはコンテンション機構を利用できる。
【００１３】
このサービス期間２１の持続時間は実質的には固定されているが、多くの場合、アクセスポイント１１の送信に必要なのはその期間のうちのほんの短い期間にすぎない。ある好適な実施形態に従って、アクセスポイント１１はその送信サービス期間２１の先の期間２２を使用する。これでサービス期間２１の後の期間２３が動的コンテンションウインドウ２３として使用可能になる（「動的な（ｄｙｎａｍｉｃ）」というのは、このコンテンションウインドウのサイズがサイクル毎に変わりうるという意味である）。このように構成されていると、加入者ユニット群が、それらの送信をサポートするよう通常スケジュールされているコンテンションウインドウ２４を使用するのと同じように、この動的コンテンションウインドウ２３を利用できる。
【００１４】
図１を再び参照すると、このようなアクセスポイント１１が、一つ以上の加入者ユニット群（１４〜１６）の無線通信の要望に役立つ。このような加入者ユニット群は、音声サービス、ベアラデータサービス、又はこれらの両方のサービスを、任意の応用例に対し、望み通り及び／又は適宜サポートできる。これらの加入者ユニット群は、任意のローカルエリアネットワーク１０においても、様々な形式の因子を呈し種々の要望を満たす役割を果たせる。大部分において、こういった変形は、これらの実施形態に対して特に重大でも重要でもないので、ここでは列挙しない。概して、これらの実施形態は適合するよう且つ効果的に、多種多様な加入者ユニット群で利用できる。
【００１５】
上記のことを念頭におき、ここで図３を参照すると、ある好適な実施形態の加入者ユニット１４には、無線送受信機３２に結合した制御装置３１と、局所音声変換装置及び音声処理装置３３（この加入者ユニットが音声サービスをサポートしている場合）と、メモリ３４とがある。この制御装置３１は、一体型のエンティティから成っていてもよいし、分散型の能力から成っていてもよく、どちらのアーキテクチャ上のアプローチも当該分野では良く知られている。制御装置３１はまた、その操作性が固定されていてもよいし、一部分又は完全にプログラム可能でもよい。やはり、これらの任意選択のアプローチは当該分野では良く知られている。
【００１６】
ある好適な実施形態では、この制御装置３１が少なくとも２つの動作モードを実行する。アクティブ動作モードとスリープ動作モードである。スリープ動作モードの間は、最低でも、無線送受信機３２の少なくとも一部分の出力が下がる。アクティブ動作モードの間は、最低でも、無線送受信機３２の出力が上がる。いわゆるスリープの度合い及びレベルを変えることは、当該分野では良く知られているように可能である。本明細書では単純明快にする為、単一のモードの「スリープ（ｓｌｅｅｐ）」のみが利用されているが、当然のことながら、これらの実施形態及び教示は、より複雑な及び／又は多階層の省電力方式に容易に適用可能である。
【００１７】
以下に更に詳細に説明されるように、制御装置３１は、部分的に、任意の無線ローカルエリアネットワークのアクセスポイントからの送信がサービス期間中に終わるときについての予定時刻を決定する役割を果たす。下記のように、この予定時刻の確認は、サービス期間中にアクセスポイント１１により提供されたビーコンメッセージの内容に部分的に依存して、多様な方法で可能である。
【００１８】
このような制御装置３１は更に、好ましくは、予定時刻に続く選択送信時刻を決定する役割も果たし、この選択送信時刻には制御装置が無線送受信機にアクセスポイントへと送信させるので、対応の加入者ユニットが音声データなどの送信する為のデータを持っている場合は無線ローカルエリアネットワークを争奪する。ある好適な実施形態では、この選択送信時刻が、場合によって、サービス期間中（サービス期間の終わりに先立ってアクセスポイントがその下りの送信を終える場合など）でもよいし、サービス期間に続いていてもよい。
【００１９】
ある好適な実施形態では、この制御装置３１がこのような情報を利用して、制御装置３１がスリープ動作モードからアクティブ動作モードへの変更を行う時刻をスケジュールし、制御装置３１によって無線送受信機３２がアクセスポイント１１へと送信する時刻をスケジュールする。
【００２０】
このような情報はメモリに保持されている。本実施形態に依存して、このようなメモリは、制御装置３１と一体化している、及び／又は、少なくとも一部分は制御装置３１の外部にある。この実例となる実施形態で描写されているように、外付けのメモリ３４が、予定時刻とスケジュールされた送信の時刻とを制御装置３１により決定された通りに保持する役割を果たす。次に制御装置３１は、このような保存されている情報を利用して、上で述べられたスリープモードの処理とコンテンションベースの送信活動とを実行する。
【００２１】
ここで図４を参照すると、ある好適な実施形態に従って、あるアクセスポイントが、時折（且つ、好ましくはサービス期間のサイクルと同時発生）、そのアクセスポイントに求めるデータがある目標加入者ユニット群を決定する４１。例えば、そのアクセスポイントに、図１に関して前述したネットワーク１２を介して結合しているノードが、そのアクセスポイントにサポートされている加入者ユニットに音声通信を供給している場合がある。それに応じて、その加入者ユニットを対象とした音声パケット／音声フレームがそのアクセスポイントに到着し、アクセスポイントがこのようなデータを対応の目標受信者に送信するまでバッファされる。このアクセスポイントが、もちろん同様に、一つ以上の加入者ユニットへと送信される他のソースからの他のデータを持っていてもよい。
【００２２】
この好適なアプローチでは、次にこのアクセスポイントが、このアクセスポイントが持っているデータが対象としている目標の加入者ユニットを識別するビーコンメッセージを準備する４２（例えば、アドレスや、識別番号や、その加入者ユニットについて任意の構成及びシステムに存在し使用可能な他の適切な識別子又はエイリアスを用いて）。例えば、このアクセスポイントがこのような加入者ユニット群のリストを準備する。
【００２３】
このようなリストには、目標とされた加入者ユニット群を任意の多種多様なやり方で入れてよい。例えば、加入者ユニット群の為のデータがアクセスポイントに到着した順にこれらの加入者ユニット群を単純にリストアップしてもよい。或いは、必要に応じて、このリストには、その全て又は一部を入れてもよく、この場合に加入者ユニット群は少なくとも第１の基準による関数として配列されている。このような基準は、例えば、下記のいずれかを含んでいてもよいしこれらから成っていてもよい。
【００２４】
少なくとも一つ以上の加入者ユニットに対応している優先レベル（この優先レベルは、階層指定、提供されるサービス品質レベル等々と関連している）。
加入者ユニット群のうちの少なくとも幾つかの最近の通信活動（例えば、音声通信を最近供給した加入者ユニット群が他の加入者ユニット群よりも先にリストアップされる。）
加入者ユニット群に送信されるデータの相対的なサイズ（例えば、大きいデータパケット群（又は多くのデータパケット群）を受信する加入者ユニット群が、このようなリストの終端近くに配列されてスリープ動作モードを呈することで、より多くの他の加入者ユニット群がそれらの相対的に小さいパケットを受信可能になる）。
【００２５】
少なくとも幾つかの加入者ユニットの現在の予備電力に関する情報（例えば、アクセスポイントに、任意の加入者ユニットに関して現在の予備電力が少ない状態だと知っている際、その加入者にデータを比較的早く用意することによって、その加入者ユニットがより速くスリープ動作モードを呈するよう、その加入者ユニットをリストの初めに又は初め付近に配置すればよい）。
【００２６】
下に示すように、アクセスポイントがこのような情報を用いてその送信をそれまでには終える時刻を加入者ユニットが推定することも可能である。必要に応じて、このビーコンメッセージに、この加入者ユニットの活動を更に簡易化する為に付加的な情報を含めることができる。例えば、アクセスポイントがビーコンメッセージに、メッセージのサイズの表示、及び、又は、目標加入者ユニット群の各々の予想の送信持続時間、及び／又は、集合体データの量又は送信されるデータの読み出しを完了する為の予想の送信持続時間表示を含めてもよい。
【００２７】
次にアクセスポイントはこのビーコンメッセージを、対応のサービス期間中の適切な時刻に（例えば、このサービス期間の初めに）送信する４３。ある好適な実施形態では、このビーコンメッセージが、アクセスポイントが送信するつもりのない加入者ユニット群を識別しない。それに応じて、このビーコンメッセージの終わりに、自身が送信するデータを持っておらずビーコンメッセージでは識別されなかった加入者ユニット群が、直ちにスリープ動作モードを呈し、次のビーコンメッセージまでスリープ動作モードの状態である。
【００２８】
その間、ビーコンメッセージで識別された加入者ユニット群にアクセスポイントがそのバッファしたデータを送信する４４。これらの送信は、好ましくは、サービス期間中に発生し、最も好ましいのはビーコンの送信が終わると直ちに続く。これらの送信が発生する順番は、好ましくは、これらの加入者ユニット群がビーコンメッセージで識別された順番に対応する。ある実施形態では、加入者ユニットの各々がそれらの送信をアクセスポイントから正しく受信するので、アクセスポイントが各加入者ユニットからの応答メッセージの受信を予想できる。
【００２９】
この送信活動に続き、アクセスポイントがコンテンションベースでデータ伝送を加入者ユニット群のいずれかから受信する４５。（必要に応じて、一般に良く知られている先行技術に従って別の方法でアクセスポイントに送信するあらゆる応答メッセージと同時に、加入者ユニット群から少なくとも短いデータ伝送を受け取る用意がされる。）ある好適な実施形態に従って、これらの送信は、サービス期間に続いて受信してもよいし、任意のサービス期間の残りの部分の間（即ち、アクセスポイント自身の送信の終わりに続く、サービス期間の部分のうちのその部分の間）に受信してもよい。
【００３０】
このように構成されていると、アクセスポイントに確実に保証されるのは、必要な目標加入者ユニット群がアクセスポイントから緊急の送信を受信する為にそれらに必要なものが適時のやり方で分かるが、節電操作を行う為に本質的に全ての加入者ユニット群に音で通知される原則が備わっておりそれによって加入者ユニット群の限りのある電力容量が温存されることである。
【００３１】
ここで図５を参照すると、加入者ユニットが、このようなアクセスポイントの挙動に影響を与える対応のプロセスを実行する。ある好適な実施形態では、サービス期間が予測可能な周期的スケジュールに従って発生するので、加入者ユニットが、今のところはスリープ動作モードである場合、このサービス期間に先立ってこのスリープモードからアクティブ動作モードに切り換わってもよい５１。これにより、そして今度は、前述したように予めスケジュールされた時刻にアクセスポイントによりビーコンメッセージが送信された際にこれを加入者ユニットが受信可能になる５２。ある好適な実施形態では、このビーコンメッセージに含まれる情報は、アクセスポイントが目標の加入者ユニット群へのデータ送信を終える可能性のあるときを決定する為の、目標の情報及び／又は加入者ユニットが利用できる他の情報をアクセスポイントが次に送信しようとしている加入者ユニット群を識別する情報である。
【００３２】
加入者ユニットが、アクセスポイントに送信する音声情報などの情報が加入者ユニットにないことを決定した５３とき、このプロセスは単純に終わり、加入者ユニットは、例えば、節電動作モード（例えばスリープ動作モードなど）を始動する。しかし、送信する情報が加入者ユニットにあるときは、加入者ユニットは好ましくは、アクセスポイントの送信がサービス期間中に終わるときについての可能性のある時刻を決定できる５４。この決定は、上で述べられたようにビーコンメッセージの間にアクセスポイントにから提供された情報を最もよく反映するよう多様な基準と情報の内容とに基づいていてよい。
【００３３】
次に加入者ユニットはこの予定時刻を用いて次の時刻を決定でき、それから送信機会を争奪する５５。ある実施形態に従って、加入者はランダムな又は擬似ランダムなメカニズムを利用してこの選択を簡易化できる。このようなアプローチは、多数の加入者ユニット群（アクセスポイントの送信が終わるまでの時間がおそらく全く同じ又は少なくともほぼ同じであると推測された加入者ユニット群）が、互いに同時に送信しないよう助ける。特定の送信時刻を少なくとも実質的には擬似ランダムに選択できるが、それでも、所定の範囲の使用可能時間を用いて候補の時刻を、アクセスポイントの送信の終わりからコンテンションウインドウの終わりまでの時刻に（言い換えると、動的コンテンションウインドウと図２に関し前述した通常のコンテンションウインドウとを含む範囲の時刻に）なるよう制約を加えてもよい。
【００３４】
次に加入者ユニットは決定した時刻にアクセスポイントへと送信する５６。また特に、ある好適な実施形態では、加入者ユニットがその完全なデータペイロードをアクセスポイントに伝えるのに十分な送信機会を争奪する。多様なコンテンションプロトコルが当該分野で既知であり、これらの教示は殆ど又は全てのこのような以前より既知の又はこれから開発されるコンテンション方式に適合している。
【００３５】
このような送信に続き、加入者ユニットは次に、任意選択だが、スリープ動作モードに切り換わり５７、望ましくはこれによって電力リソースが温存される。必要に応じて、加入者ユニットの情報の送信に応えてのアクセスポイントからの応答メッセージの受信を条件として、スリープモードの始動がなされてもよい。ある好適な実施形態では、加入者ユニットが更に、アクティブ動作モードに切り換わる次の時刻をスケジュールする。例えば、加入者ユニットがアクティブモードに切り換わる次の時刻をスケジュールして、次のスケジュールされた又は予期されたサービスインタフェースの期間に適時に受信できるようにする。
【００３６】
これらの基本的なプロセスにより、多様な加入者ユニットの動きが、様々なシステム及び用途の要望に合った様々な方法で、データの適時の交換を最終的に簡易化すると同時に選んだ省電力方式を行なうに適した基礎の促進も行う。
【００３７】
例えば、及びここで図６を参照すると、加入者ユニットがスリープモードからアクティブモードへと切り換わってもよく５１、次に、前述したようにビーコンメッセージを受信する５２。次に加入者ユニットが、その次に送信されるデータの目標受信者としてその加入者ユニットがビーコンメッセージに識別されているかどうかを決定できる６１。当てはまった場合、次にこの加入者ユニットはアクセスポイントからの次の送信を受信し６２、この送信がその加入者ユニットを対象としているかどうかを決定する６３。このプロセスは、この正確に目標を定めた送信が受信されるまで続き、それから加入者ユニットにより応答がなされる６４。（必要に応じて、加入者ユニットはその応答送信に、アクセスポイントに送信する必要のあるデータを含めることができる。このアプローチが特にうまく働くのは、アクセスポイントに送信する加入者ユニットのデータ量がわずかしかないときである。）
アクセスポイントからのこのようなデータの受信に続いて、又は加入者ユニットへと送信するこのようなデータがないときに、アクセスポイントへと送信するデータ（この実例となる実施形態では、このようなデータが、音声情報を含む又は完全に音声情報からなると考えられる）が加入者ユニットにあるかどうかを加入者ユニットが決定する５３。このようなデータがないときは、加入者ユニットは起動時刻をスケジュールしてアクティブ動作モードからスリープ動作モードへと切り換わる６５。
【００３８】
加入者ユニットに送信するデータがあるときは、加入者ユニットは、前述したようにサービス期間中にアクセスポイントの送信が終わるまでの可能性のある時刻を決定する５４。この情報が、今度は、加入者ユニットが送信機会を争奪する次の時刻の決定５５を可能にする役割を果たす。ある好適な実施形態では、この次の時刻がサービス期間中に（もちろん、アクセスポイントの送信に続いて）又はサービス期間に続くコンテンションウインドウの間に発生する可能性がある。
【００３９】
ある好適な実施形態では、加入者ユニットが次に、スリープ動作モードからアクティブ動作モードへと切り換える起動時刻を、選択した時刻の送信機会を加入者ユニットが争奪できる十分な時刻にスケジュールする６６。次に加入者ユニットがスリープモードに入る（又は、状況に適した他の省電力戦略を実行する）。加入者ユニットはスケジュールした時刻に起動し６７、所望の送信機会を争奪する（任意の設定又はシステムに適切な又は必要とされるコンテンションプロトコル６８を用いて）。加入者ユニットのデータの正常な送信に続き、加入者ユニットは起動時刻（次のサービス期間が発生するときに対応する時刻など）をスケジュールし、アクティブ動作モードからスリープ動作モードへと切り換わる６９。
【００４０】
このような挙動とそれらに対応する潜在的な利益とが、図７に示されているタイミング図を参照することでおそらくより簡単にはっきりする。サービス期間２１の間に、アクセスポイントがそのビーコンメッセージ７１を送信し、これまでに詳細に説明したように、ビーコンメッセージ７１には送信目標リストが含まれている。任意の加入者ユニットがこのビーコンメッセージ７１から、このサービス期間２１の間にアクセスポイントからの送信を受信しないことを決定し、加入者ユニットが、アクセスポイントの送信がそれまでには終了する時刻７４を決定し、次に、加入者ユニットがアクセスポイントへの加入者ユニットの送信の実行を試みるべき対応の時刻を決定する。次に加入者ユニットはスリープ動作モードに切り換わる７２。これにより、この加入者ユニットは、アクセスポイントがビーコンメッセージのリストどおりにデータを他の加入者ユニット群に送信している時間７３の間は電力を温存できる。
【００４１】
アクセスポイントの送信の終了に続く時刻７４（この時刻はサービス期間に続くコンテンションウインドウ２４の間だったり、アクセスポイントの送信の終わり７４からサービス期間２１の終わりまでの範囲の動的コンテンションウインドウの間だったりする）に、加入者ユニットがアクティブ動作モードに切り換わり、その送信機会を争奪する。正常であれば、加入者ユニットはデータ伝送７５を行い、アクセスポイントから応答メッセージ７６を受信し、再びスリープモードに入る７７。
【００４２】
任意の瞬間に付随して送信の要望と受信の要望とにある程度依存して、これらの教示に沿って動作する際に加入者ユニットを相当に節電できることが分かる。更に、これらの実施形態は、最初のプログラミングの投資は別として、付加的で徐々に増えるコストをあまりかけずに又は全くかけずに実施できる。
［００５４］  先に記載された実施形態に対し、本発明のシステム精神及び範囲から逸脱することなく、多種多様な修正、変更、組み合わせが可能であることと、このような修正、変更、組み合わせとが本発明の概念の範囲内にあると見なされることとを当業者は認識する。
【図面の簡単な説明】
【００４３】
【図１】本発明のある実施形態に従って構成されたシステムのブロック図。
【図２】本発明のある実施形態に従って構成された通信リソースの略図。
【図３】本発明のある実施形態に従って構成された加入者ユニットのブロック図。
【図４】本発明のある実施形態に従って構成されたアクセスポイントのフロー図。
【図５】本発明の様々な実施形態に従って構成された加入者ユニットのフロー図。
【図６】本発明の他の実施形態に従って構成された加入者ユニットのフロー図。
【図７】本発明の様々な実施形態に従って構成されたタイミング図。
【図１】
2007503168.tif 000003
【図２】
2007503168.tif 000004
【図３】
2007503168.tif 000005
【図４】
2007503168.tif 000006
【図５】
2007503168.tif 000007
【図６】
2007503168.tif 000008
【図７】
2007503168.tif 000009
【国際調査報告】
2007503168.tif 000010